(57)【要約】【課題】通信インタフェースの位置が異なる複数の携帯型再生装置を接続することが可能な「車載用装置」を提供する。【解決手段】車載用モニタ装置は、本体１０を貫通する孔部１６の両端の挿入口１８及び２０のそれぞれの近傍に、回動自在なアーム部２２及び３０を設け、更に、そのアーム部２２及び３０にコネクタ２６及び２８を取り付けている。挿入口１８から挿入される携帯型再生装置はアーム部２２のコネクタ２６に接続され、挿入口２０から挿入される携帯型再生装置は挿入口１８の近傍に設けられたアーム部３０のコネクタ３４に接続される。【選択図】図２
2008265496.tif 000002
【特許請求の範囲】
【請求項１】
携帯型再生装置を接続する車載用装置であって、
本体と、
前記本体の第１の側面から該第１の側面の逆側の第２の側面までを貫通し、前記第１の側面の側が第１の携帯型再生装置の挿入される第１の挿入口となり、前記第２の側面の側が第２の携帯型再生装置の挿入される第２の挿入口となる孔部と、
前記孔部の中央よりも前記第２の挿入口の側に設けられ、前記第２の挿入口から挿入される第２の携帯型再生装置によって押圧された場合に、前記第２の携帯型再生装置の前記孔部への進入路を確保すべく回動する第１のアーム部材と、
前記第１のアーム部材における前記孔部の中央に対向する側に取り付けられ、前記第１の挿入口から挿入される第１の携帯型再生装置を接続する第１のコネクタと、
前記孔部の中央よりも前記第１の挿入口の側に設けられ、前記第１の挿入口から挿入される第１の携帯型再生装置によって押圧された場合に、前記第１の携帯型再生装置の前記孔部への進入路を確保すべく回動する第２のアーム部材と、
前記第２のアーム部材における前記孔部の中央に対向する側に取り付けられ、前記第１の挿入口から挿入される第２の携帯型再生装置を接続する第２のコネクタとを有することを特徴とする車載用装置。
【請求項２】
前記第１のアーム部材は、一端を中心に他端が前記第１の挿入口の側に回動自在であり、
前記第２のアーム部材は、一端を中心に他端が前記第２の挿入口の側に回動自在であることを特徴とする請求項１に記載の車載用装置。
【請求項３】
前記第１のアーム部材は、一端を中心に他端が前記本体の主面の側に回動自在であり、
前記第２のアーム部材は、一端を中心に他端が前記本体の主面の側に回動自在であることを特徴とする請求項１に記載の車載用装置。
【請求項４】
前記孔部における前記第１のアーム部材よりも前記第２の挿入口の側に設けられ、前記第１のアーム部材に接触して回動を規制する第１の規制部材と、
前記孔部における前記第２のアーム部材よりも前記第１の挿入口の側に設けられ、前記第２のアーム部材に接触して回動を規制する第２の規制部材とを有することを特徴とする請求項１乃至３のいずれかに記載の車載用装置。
【発明の詳細な説明】
【技術分野】
【０００１】
本発明は、携帯型再生装置を接続する車載用装置に関する。
【背景技術】
【０００２】
近年、携帯型のオーディオ再生装置をはじめとする各種の携帯型の再生装置は、持ち運びに便利であることから、他の装置に接続して様々な機能を実現することが提案されている（特許文献１参照）。例えば、携帯型のオーディオ再生装置が広く普及していることに伴い、車載用装置に携帯型のオーディオ再生装置を接続するためのコネクタを設けて当該携帯型のオーディオ再生装置を接続することによって、車載用装置が携帯型のオーディオ再生装置に記憶されているオーディオデータを取り込んで再生を行うといった機能が実現されている。
【特許文献１】特開平１１−２７５１８１号公報
【発明の開示】
【発明が解決しようとする課題】
【０００３】
しかし、携帯型のオーディオ再生装置において、他の装置と接続するための通信インタフェースの位置は機種により異なっており、車載用装置は、ある特定の位置に通信インタフェースが設けられた携帯型のオーディオ再生装置のみと接続可能であった。携帯型のオーディオ再生装置は、その普及により、今後も様々な機種が発売されると考えられるため、通信インタフェースの位置が異なる携帯型のオーディオ再生装置を接続することが要求される。
【０００４】
本発明の目的は、上述した問題を解決するものであり、通信インタフェースの位置が異なる複数の携帯型再生装置を接続することが可能な車載用装置を提供するものである。
【課題を解決するための手段】
【０００５】
本発明に係る、携帯型再生装置を接続する車載用装置は、本体と、前記本体の第１の側面から該第１の側面の逆側の第２の側面までを貫通し、前記第１の側面の側が第１の携帯型再生装置の挿入される第１の挿入口となり、前記第２の側面の側が第２の携帯型再生装置の挿入される第２の挿入口となる孔部と、前記孔部の中央よりも前記第２の挿入口の側に設けられ、前記第２の挿入口から挿入される第２の携帯型再生装置によって押圧された場合に、前記第２の携帯型再生装置の前記孔部への進入路を確保すべく回動する第１のアーム部材と、前記第１のアーム部材における前記孔部の中央に対向する側に取り付けられ、前記第１の挿入口から挿入される第１の携帯型再生装置を接続する第１のコネクタと、前記孔部の中央よりも前記第１の挿入口の側に設けられ、前記第１の挿入口から挿入される第１の携帯型再生装置によって押圧された場合に、前記第１の携帯型再生装置の前記孔部への進入路を確保すべく回動する第２のアーム部材と、前記第２のアーム部材における前記孔部の中央に対向する側に取り付けられ、前記第１の挿入口から挿入される第２の携帯型再生装置を接続する第２のコネクタとを有することを特徴とする。
【０００６】
この構成によれば、本体に形成される孔部には、中央よりも第２の挿入口の側に第１の携帯型再生装置を接続する第１のコネクタが取り付けられた第１のアーム部材が設けられるとともに、中央よりも第１の挿入口の側に第２の携帯型再生装置を接続する第２のコネクタが取り付けられた第２のアーム部材が設けられる。そして、本体に形成される孔部に第１の挿入口から第１の携帯型再生装置が挿入された場合には、当該第１の携帯型再生装置の孔部への進入路を確保すべく、第２のアーム部材が回動し、第１の携帯型再生装置は第１のコネクタに接続される。一方、本体に形成される孔部に第２の挿入口から第２の携帯型再生装置が挿入された場合には、当該第２の携帯型再生装置の孔部への進入路を確保すべく、第１のアーム部材が回動し、第２の携帯型再生装置は第２のコネクタに接続される。
【０００７】
同様の観点から、本発明に係る車載用装置は、前記第１のアーム部材が、一端を中心に他端が前記第１の挿入口の側に回動自在であり、前記第２のアーム部材が、一端を中心に他端が前記第２の挿入口の側に回動自在であるようにしてもよい。
【０００８】
更に同様の観点から、本発明に係る車載用装置は、前記第１のアーム部材が、一端を中心に他端が前記本体の主面の側に回動自在であり、前記第２のアーム部材が、一端を中心に他端が前記本体の主面の側に回動自在であるようにしてもよい。
【０００９】
また、本発明に係る車載用装置は、前記孔部における前記第１のアーム部材よりも前記第２の挿入口の側に設けられ、前記第１のアーム部材に接触して回動を規制する第１の規制部材と、前記孔部における前記第２のアーム部材よりも前記第１の挿入口の側に設けられ、前記第２のアーム部材に接触して回動を規制する第２の規制部材とを有するようにしてもよい。
【００１０】
第１のアーム部材は、孔部に進入した第１のオーディオ再生装置によって第２の挿入口の側に押圧されて回動しようとするため、第１のオーディオ再生装置を第１のコネクタに接続しにくい場合があるが、第１の規制部材によってその回動が規制されることにより、その接続が容易になる。また、第２のアーム部材は、孔部に進入した第２のオーディオ再生装置によって第１の挿入口の側に押圧されて回動しようとするため、第２のオーディオ再生装置を第２のコネクタに接続しにくい場合があるが、第２の規制部材によってその回動が規制されることにより、その接続が容易になる。
【発明の効果】
【００１１】
本発明によれば、本体に形成された孔部に、コネクタが取り付けられたアーム部材が２つ設けられ、通信インタフェースの位置の異なる２つの携帯型再生装置をそれぞれ別のコネクタに接続することができる。
【発明を実施するための最良の形態】
【００１２】
以下、本発明の実施の形態について、図面を参照して具体的に説明する。
【００１３】
図１は、車載用装置としての車載用モニタ装置の正面図、図２は、上面図である。図１及び図２に示す車載用モニタ装置１は、通信インタフェース６２が設けられた第１の携帯型再生装置６０と、通信インタフェース７２が設けられた第２の携帯型再生装置７０とを接続し、これら第１の携帯型再生装置６０及び第２の携帯型再生装置７０に記憶されたオーディオデータを取り込んで再生可能とするものである。本実施形態では、第１の携帯型再生装置における通信インタフェース６２の位置と、第２の携帯型再生装置７０における通信インタフェース７２の位置とは異なっている。
【００１４】
車載用モニタ装置１における本体１０には、第１主面１１と第２主面１３との間に、第１側面１２から当該第１側面１２の逆側の第２の側面１４までを貫通する孔部１６が形成されている。第１の携帯型再生装置６０は、第１側面１２側の開口部である第１挿入口１８から孔部１６に挿入される。一方、第２の携帯型再生装置７０は、第２側面１４側の開口部である第２挿入口２０から孔部１６に挿入される。
【００１５】
以下、孔部１６内の構造についての第１実施例及び第２実施例を説明する。
【００１６】
（第１実施例）
図３は、第１実施例における正面から見た孔部１６内の構造を示す図である。図３において、孔部１６の中央よりも第２挿入口２０の側には、第１アーム部２２が設けられている。この第１アーム部２２は、一端の回転軸２４によって本体１０に取り付けられ、他端が第１挿入口１８の側に回動自在となっている。更に、この第１アーム部２２における孔部１６の中央に対向する側には、第１の携帯型再生装置６０を接続するための第１コネクタ２６が取り付けられている。また、孔部１６における第１アーム部２２よりも第２挿入口２０の側には、第１の規制部材に対応する突起２８が設けられている。
【００１７】
また、孔部１６の中央よりも第１挿入口１８の側には、第２アーム部３０が設けられている。この第２アーム部３０は、一端の回転軸３２によって本体１０に取り付けられ、他端が第２挿入口２０の側に回動自在となっている。更に、この第２アーム部３０における孔部１６の中央に対向する側には、第２の携帯型再生装置７０を接続するための第２コネクタ３４が取り付けられている。また、孔部１６における第２アーム部３０よりも第１挿入口１８の側には、第２の規制部材に対応する突起３６が設けられている。
【００１８】
なお、第１の携帯型再生装置６０における通信インタフェース６２の位置と、第２の携帯型再生装置７０における通信インタフェース７２の位置とは異なっていることに対応して、第１アーム部２２における第１コネクタ２６の取り付け位置と、第２アーム部３０における第２コネクタ３４の取り付け位置とは異なっている。
【００１９】
図４（ａ）は、第１実施例において、第１コネクタ２６へ第１の携帯型再生装置６０の接続する際の第１の工程、図４（ｂ）は、第２の工程を示す図である。
【００２０】
図４（ａ）に示す第１の工程では、第１の携帯型再生装置６０が第１挿入口１８から孔部１６内に挿入される。この際、第２アーム部３０は、第１の携帯型再生装置６０によって押圧され、一端の回転軸３２を中心に、他端が第２挿入口２０の側に回動する。これによって、第１の携帯型再生装置６０の孔部１６への進入路が確保され、当該第１の携帯型再生装置６０は孔部１６内を進行する。
【００２１】
そして、図４（ｂ）に示す第２の工程では、第１の携帯型再生装置６０が孔部１６を進行することによって、通信インタフェース６２が第１アーム部２２に取り付けられた第１コネクタ２６を押圧する。この際、第１アーム部２２の他端は、突起２８に接触するため、第２挿入口２０の側への回動が規制される。従って、第１コネクタ２６は、両側から押圧され、その結果、通信インタフェース６２が当該第１コネクタ２６に接続されることになる。
【００２２】
図５（ａ）は、第１実施例において、第２コネクタ３４へ第２の携帯型再生装置７０の接続する際の第１の工程、図５（ｂ）は、第２の工程を示す図である。
【００２３】
図５（ａ）に示す第１の工程では、第２の携帯型再生装置７０が第２挿入口２０から孔部１６内に挿入される。この際、第１アーム部２２は、第２の携帯型再生装置７０によって押圧され、一端の回転軸２４を中心に、他端が第１挿入口１８の側に回動する。これによって、第２の携帯型再生装置７０の孔部１６への進入路が確保され、当該第２の携帯型再生装置７０は孔部１６内を進行する。
【００２４】
そして、図５（ｂ）に示す第２の工程では、第２の携帯型再生装置７０が孔部１６を進行することによって、通信インタフェース７２が第２アーム部３０に取り付けられた第２コネクタ３４を押圧する。この際、第２アーム部３０の他端は、突起３６に接触するため、第２挿入口１８の側への回動が規制される。従って、第２コネクタ３４は、両側から押圧され、その結果、通信インタフェース７２が当該第２コネクタ３４に接続されることになる。
【００２５】
（第２実施例）
図６は、第２実施例における上方から見た孔部１６の構造を示す図である。図６において、孔部１６の中央よりも第２挿入口２０の側には、第１アーム部４２が設けられている。この第１アーム部４２は、一端の回転軸４４によって本体１０に取り付けられ、他端が第２主面１３の側に回動自在となっている。更に、この第１アーム部４２における孔部１６の中央に対向する側には、第１コネクタ４６が取り付けられている。また、孔部１６における第１アーム部４２よりも第２挿入口２０の側には、第１の規制部材に対応する突起４８が設けられている。
【００２６】
また、孔部１６の中央よりも第１挿入口１８の側には、第２アーム部５０が設けられている。この第２アーム部５０は、一端の回転軸５２によって本体１０に取り付けられ、他端が第１主面１１の側に回動自在となっている。更に、この第２アーム部５０における孔部１６の中央に対向する側には、第２コネクタ５４が取り付けられている。また、孔部１６における第２アーム部５０よりも第１挿入口１８の側には、第２の規制部材に対応する突起５６が設けられている。
【００２７】
なお、第１実施例と同様、第１の携帯型再生装置６０における通信インタフェース６２の位置と、第２の携帯型再生装置７０における通信インタフェース７２の位置とは異なっていることに対応して、第１アーム部４２における第１コネクタ４６の取り付け位置と、第２アーム部５０における第２コネクタ５４の取り付け位置とは異なっている。
【００２８】
図７（ａ）は、第２実施例において、第１コネクタ４６へ第１の携帯型再生装置６０の接続する際の第１の工程、図７（ｂ）は、第２の工程を示す図である。
【００２９】
図７（ａ）に示す第１の工程では、第１の携帯型再生装置６０が第１挿入口１８から孔部１６内に挿入される。この際、第２アーム部５０は、第１の携帯型再生装置６０によって押圧され、一端の回転軸５２を中心に、他端が第１主面１１の側に回動する。これによって、第１の携帯型再生装置６０の孔部１６への進入路が確保され、当該第１の携帯型再生装置６０は孔部１６内を進行する。
【００３０】
そして、図７（ｂ）に示す第２の工程では、第１の携帯型再生装置６０が孔部１６を進行することによって、通信インタフェース６２が第１アーム部４２に取り付けられた第１コネクタ４６を押圧する。この際、第１アーム部４２の他端は、突起４８に接触するため、第２挿入口２０の側への回動が規制される。従って、第１コネクタ４６は、両側から押圧され、その結果、通信インタフェース６２が当該第１コネクタ４６に接続されることになる。
【００３１】
図８（ａ）は、第２実施例において、第２コネクタ５４へ第２の携帯型再生装置７０の接続する際の第１の工程、図８（ｂ）は、第２の工程を示す図である。
【００３２】
図８（ａ）に示す第１の工程では、第２の携帯型再生装置７０が第２挿入口２０から孔部１６内に挿入される。この際、第１アーム部４２は、第２の携帯型再生装置７０によって押圧され、一端の回転軸４４を中心に、他端が第２主面１３の側に回動する。これによって、第２の携帯型再生装置７０の孔部１６への進入路が確保され、当該第２の携帯型再生装置７０は孔部１６内を進行する。
【００３３】
そして、図８（ｂ）に示す第２の工程では、第２の携帯型再生装置７０が孔部１６を進行することによって、通信インタフェース７２が第２アーム部５０に取り付けられた第２コネクタ５４を押圧する。この際、第２アーム部５０の他端は、突起５６に接触するため、第２挿入口１８の側への回動が規制される。従って、第２コネクタ５４は、両側から押圧され、その結果、通信インタフェース７２が当該第２コネクタ５４に接続されることになる。
【００３４】
このように本実施形態の車載用モニタ装置１では、本体１０を貫通する孔部１６の両端の挿入口のそれぞれの近傍に、回動自在なアーム部を設け、更に、そのアーム部にコネクタを取り付けることで、一方の挿入口から挿入された第１の携帯型再生装置６０は他方の挿入口の近傍に設けられたアーム部のコネクタに接続され、他方の挿入口から挿入された第２の携帯型再生装置７０は一方の挿入口の近傍に設けられたアーム部のコネクタに接続される。従って、第１の携帯型再生装置６０における通信インタフェース６２の位置と、第２の携帯型再生装置７０における通信インタフェース７２の位置とが異なっていても、コネクタの位置をこれらに対応させているために、双方を接続することが可能となる。
【産業上の利用可能性】
【００３５】
以上、説明したように、本発明に係る車載用装置は、通信インタフェースの位置が異なる複数の携帯型再生装置を接続することが可能であり、車載用装置として有用である。
【図面の簡単な説明】
【００３６】
【図１】本発明の実施形態に係る車載用モニタ装置の正面図である。
【図２】本発明の実施形態に係る車載用モニタ装置の上面図である。
【図３】第１実施例における正面から見た孔部内の構造を示す図である。
【図４】第１実施例において、第１コネクタへ第１の携帯型再生装置の接続する際の第１の工程（ａ）第２の工程を示す図（ｂ）である。
【図５】第１実施例において、第２コネクタへ第２の携帯型再生装置の接続する際の第１の工程（ａ）第２の工程を示す図（ｂ）である。
【図６】第２実施例における上方から見た孔部内の構造を示す図である。
【図７】第２実施例において、第１コネクタへ第１の携帯型再生装置の接続する際の第１の工程（ａ）第２の工程を示す図（ｂ）である。
【図８】第２実施例において、第２コネクタへ第２の携帯型再生装置の接続する際の第１の工程（ａ）第２の工程を示す図（ｂ）である。
【符号の説明】
【００３７】
１  車載用モニタ装置
１０  本体
１１  第１主面
１２  第１側面
１３  第２主面
１４  第２側面
１６  孔部
１８  第１挿入口
２０  第２挿入口
２２、４２  第１アーム部
２４、３２、４４、５２  回転軸
２６、４６  第１コネクタ
２８、３６、４８、５６  突起
３０、５０  第２アーム部
３４、５４  第２コネクタ
６０、７０  携帯型再生装置
６２、７２  通信インタフェース
【図１】
2008265496.tif 000003
【図２】
2008265496.tif 000004
【図３】
2008265496.tif 000005
【図４】
2008265496.tif 000006
【図５】
2008265496.tif 000007
【図６】
2008265496.tif 000008
【図７】
2008265496.tif 000009
【図８】
2008265496.tif 000010